(57)【要約】      （修正有）【課題】発泡スチロール材の素材の特質を活用し、精神的、肉体的負担を軽減する頚椎症、腰痛症、患者専用の軽減マットレスを提供する。【解決手段】四角形の発泡スチロ一ルからなる、マットレス１ａ本体が四角形の布カバー２の中に収納され、別の発泡スチロールマットレス１ｂ，１ｃの本体同士を布カバー２で繋ぎ合せる。発泡スチロールからなるマットレス１ａ，１ｂ，１ｃが布カバー２で繋ぎ合せて一体化形成される。マットレスの素材はポリスチレン製で発泡スチロ一ルでありマットレス１ａ，１ｂ，１ｃは保温、断熱、柔軟度と軽量の特質を活用し、小さく折り重ねて畳める。布カバー２の側面から反対側に向かって、開閉するチャック付きの挿入口３を設ける。【選択図】図２
0003187405.tif 000002
【実用新案登録請求の範囲】
【請求項１】
四角形の発泡スチロール、マットレス（１ａ）本体が四角形の布カバー（２）の中に収納され、別の発泡スチロール、マットレス（１ｂ）（１ｃ）の本体同士を繋ぎ合せて。発泡スチロールマットレス（１ａ）（１ｂ）（１ｃ）が一体化形成された。マットレスの素材はポリエチレン製の発泡スチロール、マットレス（１ａ）（１ｂ）（１ｃ）は保温、断熱、硬軟度と軽量の特質を活用し、小さく折り重ねて畳めるのが、特徴の頸椎症、腰痛症などの患者専用の軽減マットレスである。
【考案の詳細な説明】
【技術分野】
【０００１】本考案は、ポリエステル製発泡スチロール材を素材にした。
マットレスに関すものである。
【背景技術】
【０００２】就寝時に頸椎症や腰痛症の持病持ちの患者は、従来の綿敷布団、スプリングベツトなどを使用し、起床時や就寝中に痛みや痺れ、浮腫などに悩まされていた。
【考案の開示】
【考案が解決しようとする課題】
【０００３】従来の寝具は綿布団、スプリングベツトの硬軟度に左右され、からだ全体が寝具に沈み込み、骨格が摩れて痛め、精神的、肉体的負担も大きく。従って、発泡スチロール材の素材を保温、断熱、硬軟度、軽量などの特質を活用し、精神的、肉体的負担を軽減するように構成された、軽減マットレスです。
前述の欠点を解決しょうとするものである。
【課題を解決するための手段】
【０００４】本考案は、発泡スチロール、マットレス本体（１ａ）は四角形状で、発泡スチロール、マットレス本体は四角形の布カバー（２）に収納されカバー側面にあるチャック付き挿入口（３）より中に収納されマットレス本体（１ａ）と別のマットレス本体（１ｂ）（１ｃ）同士が接続された。部位から小さく折り重ねて、畳む事が出来る。素材の発泡スチロールの特質と機能を活用し体の重みによる、全身が綿敷布団やスプリング、ベットのように沈み込む事がなく、この発泡スチロール、マットレスを使用することで体が自然に安定姿勢を保つことで、骨格の摩れも少なく、頸椎症や腰痛症などの患者に対して、痛み、痺れ、浮腫などの症状が軽減する。
軽減マットレスである。
【考案の効果】
【０００５】本考案の発泡スチロール、マットレスの素材はポリエステル製の発泡スチロールを使用しており、軽量で冬暖かく、夏涼しく、保温、断熱、硬軟度がマットレスの素材として適しており、頸椎症や腰椎症の持病を持っている患者には最高に適した素材である。発泡スチロールの硬さと柔らかさは、何にものにも劣らず、就寝時の頸椎や腰椎の骨格の摩れや変形による痺れや痛み、浮腫などの症状は起こる事なく、骨格を安定姿勢に保持することが特徴で、頸椎症や腰椎症などの症状の軽減に役立つ
【考案の実施するための形態】
【０００６】本考案の発泡スチロール、マットレス本体（１ａ）（１ｂ）（１ｃ）は四方形の布カバー（２）に収納された。マットレス本体が３枚から４枚、繋ぎ合わせて連結され一体化形成されている。拡げ、人の身の丈より大きく構成されたマットレス本体（１ａ）（１ｂ）（１ｃ）は、連結部位から三ッ折りか四ッ折りに、小さく折り重ねて畳み、押し入れに納め、就寝する時は一体化に形成されたマットレス（１ａ）（１ｂ）（１ｃ）本体を寝室の畳や床の上に拡げ、マットレス本体の上に敷布や毛布を敷くか、直接マットレス本体の上に頸椎症や腰椎症の患者が横たわって寝る事が出来る構造にした。従来の寝具の敷布団やスプリング、マットレスに採って替わるものである。
【実施例】
【０００７】添付図面に従って一実施例を説明する。
ポリエステル製の発泡スチロール本体（１ａ）（１ｂ）（１ｃ）と布カバー（２）の中にチャック付き挿入口（３）から収納され一体化形成されたマットレスである、発泡スチロールマットレス（１ａ）（１ｂ）（１ｃ）を拡げて、床、畳などの上に敷き、発泡スチロールマットレス（１ａ）（１ｂ）（１ｃ）の上に直に乗り、静かに横たわって寝ている実施図である。
【図面の簡単な説明】
【０００８】
【図１】発泡スチロール、マットレス本体    断面図
【図２】発泡スチロール、マットレス、一体化形成    断面図
【図３】発泡スチロール、マットレス、一体化形成、３ッ折    立体図
【図４】発泡スチロール、マットレス、一体化形成、４ッ折    立体図
【図５】発泡スチロール、マットレスを４ッ折りに畳んだ    外観斜視図
【図６】発泡スチロール、マットレスを３ッ折りに畳んだ    外観斜視図
【図７】発泡スチロール、マットレス、３ッ折りの    一部屈折図
【図８】発泡スチロール、マットレス、４ッ折りの    一部屈折図
【図９】発泡スチロール、マットレスの下に傾斜板を入れ頭部を高くした。    側面図
【図１０】発泡スチロール、マットレスを床や畳みに敷き水平に保ち背臥位で寝ている。    側面図
【符号の説明】
【０００９】（１）  （１ａ）（１ｂ）（１ｃ）発泡スチロール、マットレス
（２）  布カバー
（３）  チャック付き挿入口
（４）  床、畳み
（５）  傾斜板
【図１】
0003187405.tif 000003
【図２】
0003187405.tif 000004
【図３】
0003187405.tif 000005
【図４】
0003187405.tif 000006
【図５】
0003187405.tif 000007
【図６】
0003187405.tif 000008
【図７】
0003187405.tif 000009
【図８】
0003187405.tif 000010
【図９】
0003187405.tif 000011
【図１０】
0003187405.tif 000012
【手続補正書】
【提出日】平成25年9月4日(2013.9.4)
【手続補正１】
【補正対象書類名】実用新案登録請求の範囲
【補正対象項目名】全文
【補正方法】変更
【補正の内容】
【実用新案登録請求の範囲】
【請求項１】
四角形の発泡スチロ一ルからなる、マットレス（１ａ）本体が四角形の布カバ一（２）の中に収納され、別の発泡スチロ一ルマットレス（１ｂ）（１ｃ）の本体同士で布カバ一（２）で繋ぎ合せ、発泡スチロ一ルからなるマットレス（１ａ）（１ｂ）（１ｃ）が布カバ一（２）で繋ぎ合せて一体化形成された、マットレスの素材はポリスチレン製で発泡スチロ一ルでありマットレス（１ａ）（１ｂ）（１ｃ）は保温、断熱、柔軟度と軽量の特質を活用し、小さく折り重ねて畳めるのが、特徴の頸椎症、腰痛症などの患者専用の軽減マットレス
【手続補正２】
【補正対象書類名】明細書
【補正対象項目名】０００１
【補正方法】変更
【補正の内容】
【０００１】本考案は、ポリスチレン製発泡スチロ一ルを素材にしたマットレスに関する
【手続補正３】
【補正対象書類名】明細書
【補正対象項目名】０００５
【補正方法】変更
【補正の内容】
【０００５】本考案は発泡スチロ一ルを素材として使用し、軽量で冬暖かく、夏涼しく、保温、断熱、柔軟度がマットレスの素材として適しており、頚椎症や腰椎症の持病を持っている患者に最高に適した素材で、発泡スチロ一ルの硬さと軟らかさは、何ものにも劣らず、就寝時の頸椎や腰椎の骨格の摩れや変形による痺れ、痛み、浮腫などの症状は起こる事なく、骨格を安定姿勢に保持することが特徴で頸椎症や腰痛症などの軽減に役立つ